(57)【要約】【課題】  本体部内に塵埃が溜まるのを抑制するカップホルダを提供する。【解決手段】  カップを受けるための本体部１５と、その本体部１５の上面に形成されたカップ挿入口１５ａを開閉可能な蓋板１６とを備える。蓋板１６を複数枚の蓋板片１７により分割形成し、操作ノブ２８の操作によって、各蓋板片１７が同期して開閉動作するように連動手段２１，２３，２５を設ける。【選択図】      図３
2005280607.tif 000002
【特許請求の範囲】
【請求項１】
カップを受けるための本体部と、その本体部の上面に形成されたカップ挿入口を開閉可能な蓋板とを備えたカップホルダにおいて、前記蓋板を複数枚の蓋板片により分割形成し、それらの蓋板片には各蓋板片が同期して開閉動作するように連動手段を設け、この連動手段に操作力を伝達して蓋板を開閉操作するための操作手段を設けたカップホルダ。
【請求項２】
前記連動手段が、前記各蓋板片と一体的に移動するように各蓋板片に設けられた第１のギヤと、前記操作手段によって移動操作される第２のギヤと、前記第１のギヤと第２のギヤとの間に介在される第３のギヤとよりなる請求項１に記載のカップホルダ。
【請求項３】
前記第２のギヤは蓋板の外周に沿ってリング状に形成され、前記操作手段は前記第２のギヤに対しその接線方向に沿って移動可能に噛合されている請求項２に記載のカップホルダ。
【請求項４】
前記操作手段及び本体部のうち何れか一方に係止穴を設けるとともに、他方に係止突部を設け、操作手段がカップ挿入口を開く位置又は閉じる位置に移動配置されているとき、係止突部が係止穴に係合される請求項１〜３のいずれに記載のカップホルダ。
【請求項５】
前記本体部には連動手段を覆うカバーが設けられている請求項１〜４のうちいずれか一項に記載のカップホルダ。
【発明の詳細な説明】
【技術分野】
【０００１】
本発明は、ジュース缶やペットボトル等のカップを起立保持するカップホルダに関するものである。
【背景技術】
【０００２】
この種のカップホルダは、例えば、自動車における後部座席に設けたアームレストの先端部に設けられる（特許文献１参照）。カップホルダを使用するには、カップ挿入口が上向きとなるように、背もたれに収納されているアームレストを引き倒す。この状態でカップ挿入口からカップを入れると、その底部がカップ支持面にて受け止められ、カップが起立保持される。
【０００３】
又、上述したカップホルダ以外にも、カップの底部を受け止めるカップ支持部を昇降させることにより、カップ挿入口を開閉するようにしたものが知られている。このカップホルダでは、カップホルダを使用しないときにカップ支持部がカップ挿入口と同じ高さ位置に上昇され、カップホルダを使用するときにカップ支持部がカップ挿入口から離れるように下降される。
【特許文献１】特開２００３−２４５１６２号公報
【発明の開示】
【発明が解決しようとする課題】
【０００４】
ところが、上述した前者のカップホルダは、アームレストの使用中においてカップホルダ内にカップを入れておかないと、カップ挿入口が開放状態となっているため、塵埃がカップホルダ内の内底面に溜まりやすく不衛生である。
【０００５】
又、後者のカップホルダは、カップホルダを使用しないとき、カップ支持部によってカップ挿入口が塞がれるので、カップホルダ内部に塵埃は溜まりにくく、前者のカップホルダに生じ得る不具合を解消することはできる。しかしながら、カップ支持部を電動モータによって駆動しているため、電動モータの回転運動をカップ支持部の昇降運動に変換する機構部等の各種部品によって構成が複雑になる。
【０００６】
本発明は、このような従来の技術に存在する問題点に着目してなされたものである。その目的は、内部に塵埃が溜まるのを抑制することが可能なカップホルダを提供することにある。又、その他の目的は、簡素化することが可能なカップホルダを提供することにある。
【課題を解決するための手段】
【０００７】
請求項１に記載の発明では、カップを受けるための本体部と、その本体部の上面に形成されたカップ挿入口を開閉可能な蓋板とを備えたカップホルダにおいて、前記蓋板を複数枚の蓋板片により分割形成し、それらの蓋板片には各蓋板片が同期して開閉動作するように連動手段を設け、この連動手段に操作力を伝達して蓋板を開閉操作するための操作手段を設けたことを要旨とする。
【０００８】
この構成にすれば、操作手段の操作力が転動手段に伝達されると、連動手段によって蓋板片が同期して開閉動作する。これにより、本体部にカップを受けないときにはカップ挿入口を閉じておくことができるため、外部からの塵埃が本体部内に溜まりにくくなる。又、それぞれの蓋板片が同期して開閉動作するため、意外性を与えることができるとともに、意匠性価値を高くすることができ、商品価値として優れたものにすることができる。
【０００９】
請求項２に記載の発明では、前記連動手段が、前記各蓋板片と一体的に移動するように各蓋板片に設けられた第１のギヤと、前記操作手段によって移動操作される第２のギヤと、前記第１のギヤと第２のギヤとの間に介在される第３のギヤとよりなることを要旨とする。
【００１０】
この構成にすれば、連動手段が複数種類のギヤを噛合させるという構成で済むため、例えば電動モータ等を用いて蓋板を開閉する場合と比較して、蓋板を駆動させるための機構を簡素化することができる。
【００１１】
請求項３に記載の発明では、前記第２のギヤは蓋板の外周に沿ってリング状に形成され、前記操作手段は前記第２のギヤに対しその接線方向に沿って移動可能に噛合されていることを要旨とする。
【００１２】
この構成によれば、操作手段はリング状をなす第２のギヤの接線方向に沿って直線的に操作するものであるため、操作手段の操作性を向上することができる。
請求項４に記載の発明では、前記操作手段及び本体部のうち何れか一方に係止穴を設けるとともに、他方に係止突部を設け、操作手段がカップ挿入口を開く位置又は閉じる位置に移動配置されているとき、係止突部が係止穴に係合されることを要旨とする。
【００１３】
この構成にすれば、操作手段がカップ挿入口を開く位置又は閉じる位置に移動配置されると係止穴に係止突部が係止されるため、操作手段を開く位置又は閉じる位置に保持させることができる。従って、使用者の意志に反してカップ挿入口が開閉するのを防止することができる。
【００１４】
請求項５に記載の発明では、前記本体部には連動手段を覆うカバーが設けられていることを要旨とする。
この構成にすれば、連動手段はカバーによって外部から見えなくなるため、外観品質の向上を図ることができるとともに、連動手段に塵埃やゴミ等が溜まるのが抑制されるため、操作手段の操作力が重くなるのを防止することができる。
【発明の効果】
【００１５】
本発明によれば、カップを受けないときにはカップ挿入口を閉じておくことができるため、本体部に塵埃が溜まるのを抑制できる。
【発明を実施するための最良の形態】
【００１６】
以下、本発明を具体化した一実施形態について、図面を参照して説明する。
図１に示すように、この実施形態においてカップホルダ１１は、自動車の後部座席１２の中央部に設けられたアームレスト１３の先端部に取り付けられている。カップホルダ１１は、後部座席１２にあるアームレスト１３に限らず、例えばセンターコンソールやインストルメントパネル或いはドアトリム等、任意の場所に配置することが可能である。
【００１７】
図２，図３に示すように、カップホルダ１１は、図示しないカップを受ける容器状の本体部１５を備えており、この本体部１５の上面に形成されたカップ挿入口１５ａには合成樹脂製の蓋板１６が設けられている。蓋板１６は、略扇状をなす複数枚（本実施形態では４枚）の蓋板片１７によって分割形成されている。本体部１５はカップ挿入口１５ａ部分に鍔１５ｂを有し、この鍔１５ｂに各蓋板片１７の裏面から突設された軸部１９が支持されている。そして、各蓋板片１７は、その軸部１９を中心として開閉回動可能となっており、各蓋板片１７の開閉回動に伴って本体部１５のカップ挿入口１５ａは開閉する。なお、ここでのカップとは、カップ状の飲料容器に限らず、例えばペットボトルやジュース缶等といったものも含む。
【００１８】
各蓋板片１７の下面には、内側に歯を有する円弧状のラック２１が一体的に形成されている。このラック２１は、本体部１５の中心軸線周りに等間隔をおいて配置され、同ラック２１は中央部付近から先端部にかけて蓋板１６の外周縁から突設されている。本体部１５の鍔１５ｂの上面に形成された環状のガイド溝２２内には、リングギヤ２３が本体部１５の中線を中心として回動可能に収容されている。リングギヤ２３は、内周４箇所に内歯２３ａを有し、外周１箇所に外歯２３ｂを有している。本体部１５の鍔１５ｂ上においてリングギヤ２３の内側に位置する箇所には、それぞれのラック２１及びリングギヤ２３の内歯２３ａに噛合する複数のピニオン２５が軸２４を介して回動可能に支持されている。
【００１９】
このような噛合関係を持っていることから、図４，図５に示されるように、リングギヤ２３が一方向に回動されると、ピニオン２５及びラック２１を介して各蓋板片１７が同期して開動作され、本体部１５のカップ挿入口１５ａが開く。リングギヤ２３が前記とは反対方向に回動されると、ピニオン２５及びラック２１を介して各蓋板片１７が同期して閉動作され、本体部１５のカップ挿入口１５ａが閉じる。従って、本実施形態では、第１のギヤとしてのラック２１、第２のギヤとしてのリングギヤ２３及び第３のギヤとしてのピニオン２５によって、各蓋板片１７を開閉動作させる連動手段が構成されている。
【００２０】
図２，図３に示すように、本体部１５の鍔１５ｂ上においてリングギヤ２３の外側に隣接する位置に形成された案内溝２７には、操作手段としての操作ノブ２８が、閉鎖位置Ｐ１（図４参照）と開放位置Ｐ２（図５参照）との間で往復移動可能に設けられている。操作ノブ２８の側面に形成されているギヤ部２８ａは、リングギヤ２３の外歯２３ｂに噛合されている。そして、操作ノブ２８が閉鎖位置Ｐ１又は開放位置Ｐ２から他方の位置に移動操作されると、それに伴いリングギヤ２３が回動するようになっている。
【００２１】
図６に示すように、操作ノブ２８が入る案内溝２７の底面には、間隔をおいて２つの係止穴２９ａ，２９ｂが形成されている。そして、操作ノブ２８が閉鎖位置Ｐ１又は開放位置Ｐ２にそれぞれ移動配置されたとき、操作ノブ２８の下面に形成された係止突部３０が各係止穴２９ａ，２９ｂに係合されることで、操作ノブ２８が閉鎖位置Ｐ１又は開放位置Ｐ２に保持される。
【００２２】
図２，図３に示すように、本体部１５の鍔１５ｂ上にはカバー３１が設けられ、このカバー３１は端部に形成された爪部３２が、鍔１５ｂに形成された係止孔３３に係合されることで取り付けられている。カバー３１は中央部には、本体部１５のカップ挿入口１５ａと対応する開口部３１ａが形成されており、その開口部３１ａを除く他の部分によって、前記ラック２１、リングギヤ２３及びピニオン２５がそれぞれ覆われている。これにより、ラック２１、リングギヤ２３及びピニオン２５は、外部から見えないように隠蔽されている。なお、カバー３１の開口部３１ａの外側に形成されている長孔３４には前記操作ノブ２８が係入され、操作ノブ２８が外部から操作可能となるように、操作ノブ２８の一部分が長孔３４から外部に突出されている。
【００２３】
次に、上記のように構成されたカップホルダ１１の作用について説明する。
図４，図５に示されるように、本体部１５のカップ挿入口１５ａが閉じている状態で、操作ノブ２８が閉鎖位置Ｐ１から開放位置Ｐ２に移動操作されることにより、リングギヤ２３が一方向に回動されると、ピニオン２５が回転し、その回転力がラック２１に伝達し、各蓋板片１７は軸部１９を中心にして開動作する。このとき、各ラック２１がピニオン２５を介して１つのリングギヤ２３に噛合されていることから、リングギヤ２３の回動に伴って、各蓋板片１７は同期して開動作し、同時かつ同量分回動する。そして、操作ノブ２８の開放位置Ｐ２への移動が完了すると、本体部１５のカップ挿入口１５ａが開かれ、カップを受けることが可能な状態が得られる。この状態において、操作ノブ２８の裏面にある係止突部３０が、案内溝２７の底面にある係止穴２９ｂに係合されるため、操作ノブ２８は開放位置Ｐ２に保持される。このとき、操作ノブ２８にリングギヤ２３、ピニオン２５、ラック２１を介して連結されている蓋板片１７は開いた状態に保持される。
【００２４】
次に、本体部１５のカップ挿入口１５ａが開いている状態で、操作ノブ２８を開放位置Ｐ２から閉鎖位置Ｐ１に移動操作すると、カップ挿入口１５ａを開ける場合と逆の方向にリングギヤ２３が回動され、各蓋板片１７が同期して閉動作される。これにより、本体部１５のカップ挿入口１５ａが閉じられ、本体部１５内に塵埃が入りにくくなる。操作ノブ２８が閉鎖位置Ｐ１への移動が完了すると、操作ノブ２８の裏面にある係止突部３０が、案内溝２７の底面にある係止穴２９ａに係合されるため、操作ノブ２８は閉鎖位置Ｐ１に保持される。このとき、操作ノブ２８にリングギヤ２３等を介して連結されている蓋板片１７は、閉じた状態に保持される。
【００２５】
従って、本実施形態によれば以下のような効果を得ることができる。
［１］操作ノブ２８の操作によって、分割形成した複数枚の蓋板片１７を同期するように開閉動作し、本体部１５のカップ挿入口１５ａを開閉するようにした。そのため、アームレスト１３を使用する場合に、カップを受けることがなくてもカップ挿入口１５ａを閉じておくことができるため、本体部１５内に外部からの塵埃が入るのを抑制することができる。従って、本体部１５内に塵埃が溜まりにくく、衛生的に好ましくなる。
【００２６】
［２］各蓋板片１７を同期して開閉動作することができるため、使用者に意外性を与えることができるとともに、カップホルダ１１の意匠性価値を高くすることができる。従って、付加価値が高いカップホルダ１１を提供することができる。
【００２７】
［３］操作ノブ２８の操作力を、ラック２１、リングギヤ２３及びピニオン２５によって各蓋板片１７に伝えることができる。そのため、電動モータ等を使用することなく、簡単な構成で蓋板１６を開閉させることができる。
【００２８】
［４］操作ノブ２８は、リングギヤ２３の接線方向に沿って閉鎖位置Ｐ１と開放位置Ｐ２との間で直線的に往復移動させることで、蓋板１６の開閉を行うことができるため、操作ノブ２８の操作性を向上することができる。
【００２９】
［５］操作ノブ２８にある係止突部３０が案内溝２７の底面にある係止穴２９ａ，２９ｂに係合することにより、操作ノブ２８を閉鎖位置Ｐ１又は開放位置Ｐ２に保持することができる。従って、操作ノブ２８と連係した蓋板片１７も閉鎖位置或いは開放位置に保持することができ、使用者の意志に反してカップ挿入口１５ａが開閉するのを防止することができる。
【００３０】
［６］カバー３１によってラック２１、リングギヤ２３及びピニオン２５を、外部から見えないように隠すことができるため、カップホルダ１１の外観品質の向上を図ることができる。それとともに、カバー３１によってラック２１、リングギヤ２３及びピニオン２５の噛合部分にゴミ等が溜まるのが抑制されるため、操作ノブ２８の操作力が重くなったりするのを防止することができる。
【００３１】
［変更例］
本発明の実施形態は以下のように変更してもよい。
・前記実施形態では、操作ノブ２８をリングギヤ２３に隣接して設けたが、リングギヤ２３の上面に前記操作ノブ２８の代わりとなる突部を一体的に設けてもよい。このようにすれば、突部を移動操作することにより、リングギヤ２３を直接回動させてカップ挿入口１５ａを開閉することができ、カップホルダ１１の構造をよりいっそう簡素化することができる。
【００３２】
・前記実施形態では、蓋板１６を複数の蓋板片１７によって４分割した。これ以外に、蓋板片１７の枚数を変更し、蓋板１６を２分割や３分割、或いは５分割以上に変更することが可能である。
【００３３】
・前記実施形態では、ラック２１、リングギヤ２３、ピニオン２５といった３種類のギヤを連係させることにより、蓋板１６を開閉するようにしたが、これらのギヤに代えて、例えばリンク機構等によって蓋板１６を開閉するようにしてもよい。
【００３４】
・前記実施形態では、操作ノブ２８の裏面にある係止突部３０を設け、案内溝２７の底面にある係止穴２９ａ，２９ｂを設けたが、操作ノブ２８側に係止穴を２つ設け、案内溝２７側に係止突部を１つ設けるようにしてもよい。この場合には、操作ノブ２８が閉鎖位置Ｐ１配置されているときに一方の係止突部と係止穴とが係合し、開放位置Ｐ２に配置されているときに他方の係止突部と係止穴とが係合する。
【図面の簡単な説明】
【００３５】
【図１】第１実施形態においてカップホルダの設置例を示す斜視図。
【図２】同じく、カップホルダの断面図。
【図３】同じく、本体部からカバーを取り外した分解斜視図。
【図４】同じく、カップ挿入口を閉じた状態を示すカップホルダの平面図。
【図５】同じく、カップ挿入口を開いた状態を示すカップホルダの平面図。
【図６】同じく、図２のＸ−Ｘ断面図。
【符号の説明】
【００３６】
１１…カップホルダ、１５…本体部、１５ａ…カップ挿入口、１６…蓋板、１７…蓋板片、２１…ラック（連動手段を構成する第１のギヤ）、２３…リングギヤ（連動手段を構成する第２のギヤ）、２５…ピニオン（連動手段を構成する第３のギヤ）、２８…操作ノブ（操作手段）、２９ａ，２９ｂ…係止穴、３０…係止突部、３１…カバー。
【図１】
2005280607.tif 000003
【図２】
2005280607.tif 000004
【図３】
2005280607.tif 000005
【図４】
2005280607.tif 000006
【図５】
2005280607.tif 000007
【図６】
2005280607.tif 000008